(57)【要約】  ホログラム記録媒体に対する好適な記録を実現することである。  ホログラム記録媒体の第一の所定領域の内部に、情報が記録されたホログラムを所定の間隔で配置する領域記録処理を行った後、前記第一の所定領域に対するポストキュア処理を行うまでの間に、前記第一の所定領域と異なる領域に信号光と参照光を照射して情報の記録を行う。
2014033895.tif 000002
【特許請求の範囲】
【請求項１】
信号光と参照光をホログラム記録媒体に照射して情報の記録を行うホログラム記録装置であって、
前記信号光および前記参照光が照射される位置を変更して前記ホログラム記録媒体上の記録位置を変更する記録位置変更手段と、
前記記録位置変更手段を用いて前記記録位置を変更すると共に前記信号光と前記参照光の照射を制御することにより、前記ホログラム記録媒体上の所定領域の内部に、情報が記録されたホログラムを所定の間隔で配置する領域記録処理を行う領域記録処理手段と、
前記情報の記録が完了した領域に対して所定の光ビームを照射するポストキュア処理を行うポストキュア処理手段とを備え、
前記領域記録手段が前記ホログラム記録媒体の第一の所定領域に対して第一の前記領域記録処理を行った後、前記ポストキュア手段が前記第一の所定領域に対する前記ポストキュア処理を行うまでの時間内に、
前記第一の所定領域と異なる領域に前記信号光と前記参照光を照射して情報の記録を行うことを特徴とするホログラム記録装置。
【請求項２】
信号光と参照光をホログラム記録媒体に照射して情報の記録を行うホログラム記録装置であって、
前記信号光および前記参照光が照射される位置を変更して前記ホログラム記録媒体上の記録位置を変更する記録位置変更手段と、
前記記録位置変更手段を用いて前記記録位置を変更すると共に前記信号光と前記参照光の照射を制御することにより、前記ホログラム記録媒体上の所定領域の内部に、情報が記録されたホログラムを所定の間隔で配置する領域記録処理を行う領域記録処理手段と、
前記情報の記録が完了した領域に対して所定の光ビームを照射するポストキュア処理を行うポストキュア処理手段とを備え、
前記領域記録手段が前記ホログラム記録媒体の第一の所定領域に対して第一の前記領域記録処理を行った後、前記ポストキュア手段が前記第一の所定領域に対する前記ポストキュア処理を行うまでの時間内に、
前記第一の所定領域と異なる領域に対する前記領域記録処理を少なくとも１回行うことを特徴とするホログラム記録装置。
【請求項３】
請求項１または請求項２に記載のホログラム記録装置であって、
前記領域記録処理手段が前記ホログラムを所定の間隔で配置する前記所定領域は、前記ホログラムを所定の方向に２以上かつ前記所定の方向と直行する方向に２以上配置した、略四角形の形状であることを特徴とするホログラム記録装置。
【請求項４】
請求項１または請求項２に記載のホログラム記録装置であって、
前記時間内に、前記第一の所定領域と異なる領域に対する前記領域記録処理を少なくとも１回行い、
前記ポストキュア手段が前記第一の所定領域に対する前記ポストキュア処理に続けて、
前記時間内に前記領域記録処理を行った領域に対する前記ポストキュア処理を行うことを特徴とするホログラム記録装置。
【請求項５】
請求項１または請求項２に記載のホログラム記録装置であって、
複数の所定領域に対する前記領域記録処理を順に行った後、
前記複数の所定領域に関して、前記領域記録処理を行った順に、前記ポストキュア処理手段が前記ポストキュア処理を行うことを特徴とするホログラム記録装置。
【請求項６】
請求項２に記載のホログラム記録装置であって、
前記時間内に前記領域記録処理を行う領域は、前記第一の所定領域に隣接することを特徴とするホログラム記録装置。
【請求項７】
請求項２に記載のホログラム記録装置であって、
前記ポストキュア手段が前記第一の所定領域に対する前記ポストキュア処理に続けて、
前記時間内に前記領域記録処理を行った領域の少なくとも一部に対する前記ポストキュア処理を行うことを特徴とするホログラム記録装置。
【請求項８】
請求項２に記載のホログラム記録装置であって、
前記記録位置変更手段は、前記ホログラム記録媒体を回転させる回転手段と前記回転手段の回転方向と直交する半径方向に前記ホログラム記録媒体を搬送する半径方向搬送手段から構成され、
前記第一の所定領域から、前記第一の前記領域に対する記録処理の直後に前記領域記録処理を行う第二の所定領域に移動する方向は、前記第一の所定領域から前記回転手段により前記記録位置が移動可能な方向と一致することを特徴とするホログラム記録装置。
【請求項９】
請求項２に記載のホログラム記録装置であって、
前記記録位置変更手段は、少なくとも２つの駆動手段から構成され、
前記第一の所定領域から、前記第一の前記領域記録処理の直後に前記領域記録処理を行う第二の所定領域に移動する方向は、
前記領域記録処理において最も駆動する頻度の高い前記駆動手段により、前記記録位置が移動可能な方向と一致することを特徴とするホログラム記録装置。
【請求項１０】
請求項２に記載のホログラム記録装置であって、
前記ポストキュア処理手段が連続して前記ポストキュア処理を行う領域は、前記領域記録処理を行う領域よりも広いことを特徴とするホログラム記録装置。
【請求項１１】
請求項２に記載のホログラム記録装置であって、
前記ポストキュア処理手段が連続して前記ポストキュア処理を行う領域は、前記ポストキュア処理より以前に前記領域記録処理を行った領域の集合であることを特徴とするホログラム記録装置。
【請求項１２】
請求項２に記載のホログラム記録装置であって、
前記ポストキュア処理手段が連続して前記ポストキュア処理を行う領域同士の間には、ダミーの情報を記録したホログラムを所定の幅、配置して記録することを特徴とするホログラム記録装置。
【請求項１３】
請求項２に記載のホログラム記録装置であって、
複数の所定領域に対する前記領域記録処理を順に行った後に、前記ポストキュア処理手段が前記複数の所定領域に対する前記ポストキュア処理を行う一連の動作を行い、
前記一連の動作を繰り返すことで前記ホログラム記録媒体に対する情報の記録を行い、
前記ポストキュア処理を行う領域同士の間にはダミーの情報を記録したホログラムを記録し、
前記一連の動作において前記領域記録処理が行われる前記複数の所定領域同士の間にはダミーの情報を記録したホログラムを記録しないことを特徴とするホログラム記録装置。
【請求項１４】
請求項２に記載のホログラム記録装置であって、
前記ポストキュア処理において照射される光ビームは、前記信号光及び前記参照光よりもコヒーレンスが低いことを特徴とするホログラム記録装置。
【請求項１５】
請求項２に記載のホログラム記録装置であって、
前記情報の記録が行われていない領域に対して所定の光ビームを照射するプリキュア処理を行うプリキュア処理手段を備え、
前記プリキュア処理において照射される光ビームを生成する光学系は、前記ポストキュア処理において照射される光ビームを生成する光学系と同一であることを特徴とするホログラム記録装置。
【請求項１６】
信号光と参照光をホログラム記録媒体に照射して情報の記録を行うホログラム記録方法であって、
前記信号光と前記参照光の照射位置と照射時間を制御しながらホログラムの記録を行って、前記ホログラム記録媒体の第一の所定領域の内部に、情報が記録されたホログラムを所定の間隔で配置するステップと、
前記第一の所定領域とは異なる領域に前記信号光と前記参照光を照射して前記情報の記録を行うステップと、
前記第一の所定領域に対して所定の光ビームを照射するポストキュア処理を行うステップを有するホログラム記録方法。
【請求項１７】
信号光と参照光をホログラム記録媒体に照射して情報の記録を行うホログラム記録方法であって、
前記信号光と前記参照光の照射位置と照射時間を制御しながらホログラムの記録を行って、前記ホログラム記録媒体の第一の所定領域の内部に、情報が記録されたホログラムを所定の間隔で配置するステップと、
前記第一の所定領域とは異なる領域に対する前記領域記録処理を少なくとも１回行うステップと、
前記第一の所定領域に対するポストキュア処理を行うステップを有するホログラム記録方法。
【請求項１８】
請求項１６または請求項１７に記載のホログラム記録方法であって、
前記信号光と前記参照光の参照位置と照射時間を制御しながらホログラムの記録を行って、前記ホログラム記録媒体の所定領域の内部に、情報が記録されたホログラムを所定の間隔で配置する動作を複数回反復するステップと、
前記複数回の反復によって情報の記録された前記複数の所定領域に関して、反復を行った順に、前記ポストキュア処理を行うステップを有するホログラム記録方法。
【発明の詳細な説明】
【技術分野】
【０００１】
本発明は、ホログラフィを用いた記録装置及び記録方法に関する。
【背景技術】
【０００２】
現在、青紫色半導体レーザを用いた、Ｂｌｕ−ｒａｙ  Ｄｉｓｃ（ＴＭ）規格により、民生用においても５０ＧＢ程度の記録容量を持つ光ディスクの商品化が可能となってきた。今後は、光ディスクでも１００ＧＢ〜１ＴＢというＨＤＤ（Ｈａｒｄ  Ｄｉｓｋ  Ｄｒｉｖｅ）容量と同程度まで大容量化が望まれる。【０００３】
しかしながら、このような超高密度を光ディスクで実現するためには、短波長化と対物レンズ高ＮＡ化による高密度化技術とは異なる新しい方式による高密度化技術が必要である。【０００４】
次世代のストレージ技術に関する研究が行われる中、ホログラフィを利用してデジタル情報を記録するホログラム記録技術が注目を集めている。【０００５】
ホログラム記録技術とは、空間光変調器により２次元的に変調されたページデータの情報を有する信号光を、記録媒体の内部で参照光と重ね合わせ、その時に生じる干渉縞パターンによって記録媒体内に屈折率変調を生じさせることで情報を記録媒体に記録する技術である。【０００６】
情報の再生時には、記録時に用いた参照光を記録媒体に照射すると、記録媒体中に記録されているホログラムが回折格子のように作用して回折光を生じる。この回折光が記録した信号光と位相情報を含めて同一の光として再生される。【０００７】
再生された信号光は、ＣＭＯＳやＣＣＤなどの光検出器を用いて２次元的に高速に検出される。このようにホログラム記録技術は、１つのホログラムによって２次元的な情報を一気に光記録媒体に記録し、さらにこの情報を再生することを可能とするものであり、そして、記録媒体のある場所に複数のページデータを重ね書きすることができるため、大容量かつ高速な情報の記録再生を果たすことができる。【０００８】
ホログラム記録技術として、例えば特許文献１がある。本公報には、「図５はフォトポリマーを用いた典型的なホログラム記録媒体において、記録終了から後処理までの待ち時間（後処理までの時間）に対する回折効率の時間応答特性を示すグラフである。ここに示されているように、後処理までの時間が短いと十分な回折効率が得られない。そこで、ホログラム記録媒体の状態として検出されたモノマーの拡散速度から、十分に拡散して十分な屈折率変調を行うために必要な時間を、後処理までの理想的な時間として決定することができる。」との記載がある。
【先行技術文献】
【特許文献】
【０００９】
【特許文献１】特開２００６−２４３２４１号公報
【特許文献２】特表２００７−５１９０３６号公報
【発明の概要】
【発明が解決しようとする課題】
【００１０】
ところで、ホログラム記録媒体に対して情報を記録する際、記録時間を短縮したいという要求がある。しかしながら特許文献１に開示されているように、記録終了から後処理までの待ち時間が必要である。【００１１】
特許文献１には、「ホログラム記録媒体の全ての領域での記録が終了したならば、次に、制御コンピュータ７０は、メモリ７０ｂから後処理までの待ち時間の情報を読み込み（ステップＳ１３）、最後の記録完了から、当該待ち時間が経過するのを待って、後処理を行う（ステップＳ１４）。」との記載がある。しかし、この方法では待ち時間がかかるため、ホログラム記録媒体に対して情報を記録する際の記録時間が長くなるという課題があった。【００１２】
また特許文献２には、「ホログラフ媒体の定着は、定着している領域ではなく、ホログラフ媒体の異なる領域で行われているデータ記録事象と同時に行う」との記載がある。また、「参照ビームの透過部分は、光学系１０７によって定着を必要とする感光性媒体の部分へ再導光される。光学系１０７を組み込むことの利点は、参照ビームで定着される領域３５が、同時に記録される領域３４と隣接している必要がないことである。」との記載がある。【００１３】
本発明の目的は、ホログラム記録媒体に対する好適な記録を実現するホログラム記録装置、及びホログラム記録方法を提供することである。
【課題を解決するための手段】
【００１４】
上記課題は、例えば請求項の範囲に記載の発明により解決される。
【発明の効果】
【００１５】
本発明によれば、ホログラム記録媒体に対する好適な記録を実現することができる。
【図面の簡単な説明】
【００１６】
【図１】実施例１のホログラム記録再生装置を示すブロック図である。
【図２】ホログラム記録再生装置の記録原理を説明する図である。
【図３】ホログラム記録再生装置の再生原理を説明する図である。
【図４（ａ）】ホログラム記録再生装置における記録または再生の準備が完了するまでの動作フローである。
【図４（ｂ）】ホログラム記録再生装置における記録の動作フローである。
【図４（ｃ）】ホログラム記録再生装置における再生の動作フローである。
【図５】実施例１におけるデータ記録処理の処理フローである。
【図６（ａ）】実施例１におけるプリキュア領域とブックケース、ポストキュア領域の関係を示す図である。
【図６（ｂ）】実施例１におけるブックケースとブックの関係を示す図である。
【図６（ｃ）】実施例１におけるプポストキュア領域の配置を説明する図である。
【図７】実施例２のホログラム記録再生装置を示すブロック図である。
【図８（ａ）】実施例２におけるプリキュア領域とブックケース、ポストキュア領域の関係を示す図である。
【図８（ｂ）】実施例２におけるブックケースとブックの関係を示す図である。
【図９】実施例２におけるデータ記録処理の処理フローである。
【図１０（ａ）】実施例２の効果を説明するための図である。
【図１０（ｂ）】実施例２の効果を説明するための図である。
【図１１（ａ）】本発明の変形例を説明するための図である。
【図１１（ｂ）】本発明の変形例を説明するための図である。
【図１２（ａ）】記録時のデータ処理フローである。
【図１２（ｂ）】再生時のデータ処理フローである。
【図１３】ホログラム記録再生装置内の信号生成回路のブロック図である。
【図１４】ホログラム記録再生装置内の信号処理回路のブロック図である。
【発明を実施するための形態】
【００１７】
以下、本発明の実施例について図面を用いて説明する。
【実施例１】
【００１８】
本発明の実施形態を添付図面にしたがって説明する。図１はホログラフィを利用してデジタル情報を記録および／または再生するホログラム記録媒体の記録再生装置を示すブロック図である。【００１９】
ホログラム記録再生装置１０は、入出力制御回路９０を介して外部制御装置９１と接続されている。記録する場合には、ホログラム記録再生装置１０は外部制御装置９１から記録する情報信号を入出力制御回路９０により受信する。再生する場合には、ホログラム記録再生装置１０は再生した情報信号を入出力制御回路９０により外部制御装置９１に送信する。【００２０】
ホログラム記録再生装置１０は、ピックアップ１１、再生用参照光光学系１２、キュア光学系１３、媒体搬送部５０を備えており、ホログラム記録媒体１は媒体搬送部５０によって所定の平面（ホログラム記録媒体１の表面に平行な平面）に沿って平行移動が可能な構成となっている。【００２１】
媒体搬送部５０は例えば、Ｘ軸−Ｙ軸の２軸の可動ステージで実現でき、例えばホログラム記録媒体１の記録位置を変更する目的で使用することができる。ホログラム記録媒体１の記録位置を調整する場合は、コントローラ８９によって媒体搬送制御回路８１を介して媒体搬送部５０を駆動し、ホログラム記録媒体１上の記録位置を制御する事が出来る。即ち、本実施例の媒体搬送制御回路８１及び媒体搬送部５０は、ホログラム記録媒体１上の記録位置を変更する手段として機能する。【００２２】
ピックアップ１１は、参照光と信号光をホログラム記録媒体１に照射してホログラフィを利用してデジタル情報を記録媒体に記録する役割を果たす。この際、記録する情報信号はコントローラ８９によって信号生成回路８６を介してピックアップ１１内の後述する空間光変調器に送られ、信号光は空間光変調器によって変調される。【００２３】
ホログラム記録媒体１に記録した情報を再生する場合は、ピックアップ１１から出射された参照光を記録時とは逆の向きにホログラム記録媒体１に入射させる光波を再生用参照光光学系１２にて生成する。再生用参照光によって再生される再生光をピックアップ１１内の後述する光検出器によって検出し、信号処理回路８５によって信号を再生する。【００２４】
ホログラム記録媒体１に照射する参照光と信号光の照射時間は、ピックアップ１１内のシャッタの開閉時間をコントローラ８９によってシャッタ制御回路８７を介して制御することで調整できる。【００２５】
キュア光学系１３は、ホログラム記録媒体１のプリキュアおよびポストキュアに用いる光ビームを生成する役割を果たす。プリキュアとは、ホログラム記録媒体１内の所望の位置に情報を記録する際、所望位置に参照光と信号光を照射する前に予め所定の光ビームを照射する前工程である。ポストキュアとは、ホログラム記録媒体１内の所望の位置に情報を記録した後、該所望の位置に追記不可能とするために所定の光ビームを照射する後工程である。プリキュアおよびポストキュアに用いる光ビームは、インコヒーレントな光、即ち可干渉性（コヒーレンス）の低い光である必要があることが好ましい。【００２６】
光源駆動回路８２からは所定の光源駆動電流がピックアップ１１、キュア光学系１３内の光源に供給され、各々の光源からは所定の光量で光ビームを発光することができる。【００２７】
ところで、ホログラフィの角度多重の原理を利用した記録技術は、参照光角度のずれに対する許容誤差が極めて小さくなる傾向がある。【００２８】
従って、ピックアップ１１内に、参照光角度のずれ量を検出する機構を設けて、サーボ信号生成回路８３にてサーボ制御用の信号を生成し、サーボ制御回路８４を介して該ずれ量を補正するためのサーボ機構をホログラム記録再生装置１０内に備えることが必要となる。【００２９】
また、ピックアップ１１、キュア光学系１３は、いくつかの光学系構成または全ての光学系構成をひとつに纏めて簡素化しても構わない。【００３０】
図２は、ホログラム記録再生装置１０におけるピックアップ１１及び再生用参照光光学系１２の、基本的な光学系構成の一例における記録原理を示したものである。再生用参照光光学系１２は、アクチュエータ２２３とガルバノミラー２２４から成る。【００３１】
光源２０１を出射した光ビームはコリメートレンズ２０２を透過し、シャッタ２０３に入射する。シャッタ２０３が開いている時は、光ビームはシャッタ２０３を通過した後、例えば２分の１波長板などで構成される光学素子２０４によってｐ偏光とｓ偏光の光量比が所望の比になるようになど偏光方向が制御された後、ＰＢＳ（Ｐｏｌａｒｉｚａｔｉｏｎ  Ｂｅａｍ  Ｓｐｌｉｔｔｅｒ）プリズム２０５に入射する。【００３２】
ＰＢＳプリズム２０５を透過した光ビームは、信号光２０６として働き、ビームエキスパンダ２０８によって光ビーム径が拡大された後、位相マスク２０９、リレーレンズ２１０、ＰＢＳプリズム２１１を透過して空間光変調器２１２に入射する。【００３３】
空間光変調器２１２によって情報が付加された信号光は、ＰＢＳプリズム２１１を反射し、リレーレンズ２１３ならびに空間フィルタ２１４を伝播する。その後、信号光は対物レンズ２１５によってホログラム記録媒体１に集光する。【００３４】
一方、ＰＢＳプリズム２０５を反射した光ビームは参照光２０７として働き、偏光方向変換素子２１６によって記録時または再生時に応じて所定の偏光方向に設定された後、ミラー２１７ならびにミラー２１８を経由してガルバノミラー２１９に入射する。ガルバノミラー２１９はアクチュエータ２２０によって角度を調整可能のため、レンズ２２１とレンズ２２２を通過した後にホログラム記録媒体１に入射する参照光の入射角度を、所望の角度に設定することができる。なお、参照光の入射角度を設定するために、ガルバノミラーに代えて、参照光の波面を変換する素子を用いても構わない。【００３５】
このように信号光と参照光とをホログラム記録媒体１において、互いに重ね合うように入射させることで、記録媒体内には干渉縞パターンが形成され、このパターンを記録媒体に書き込むことで情報を記録する。また、ガルバノミラー２１９によってホログラム記録媒体１に入射する参照光の入射角度を変化させることができるため、角度多重による記録が可能である。【００３６】
以降、同じ領域に参照光角度を変えて記録されたホログラムにおいて、１つ１つの参照光角度に対応したホログラムをページと呼び、同領域に角度多重されたページの集合をブックと呼ぶことにする。【００３７】
図３は、ホログラム記録再生装置１０におけるピックアップ１１及び再生用参照光光学系１２の、基本的な光学系構成の一例における再生原理を示したものである。記録した情報を再生する場合は、前述したように参照光をホログラム記録媒体１に入射し、ホログラム記録媒体１を透過した光ビームを、アクチュエータ２２３によって角度調整可能なガルバノミラー２２４にて反射させることで、その再生用参照光を生成する。【００３８】
この再生用参照光によって再生された再生光は、対物レンズ２１５、リレーレンズ２１３ならびに空間フィルタ２１４を伝播する。その後、再生光はＰＢＳプリズム２１１を透過して光検出器２２５に入射し、記録した信号を再生することができる。光検出器２２５としては例えばＣＭＯＳイメージセンサーやＣＣＤイメージセンサーなどの撮像素子を用いることができるが、ページデータを再生可能であれば、どのような素子であっても構わない。【００３９】
図４は、ホログラム記録再生装置１０における記録、再生の動作フローを示したものである。ここでは、特にホログラフィを利用した記録再生に関するフローを説明する。なお本明細書では、ホログラム記録再生装置１０にホログラム記録媒体１を挿入した後、記録または再生の準備が完了するまでの処理をセットアップ処理と称する。準備完了状態からホログラム記録媒体１に情報を記録する処理を記録処理、準備完了状態からホログラム記録媒体１に記録した情報を再生する処理を再生処理と称する。【００４０】
図４（ａ）は、セットアップ処理の動作フローを示し、図４（ｂ）は記録処理の動作フロー、図４（ｃ）は再生処理の動作フローを示したものである。【００４１】
図４（ａ）に示すようにセットアップ処理を開始すると（ステップＳ４０１）、ホログラム記録再生装置１０は、例えば挿入された媒体がホログラフィを利用してデジタル情報を記録または再生する媒体であるかどうかを判別する、媒体判別を行う（ステップＳ４０２）。【００４２】
媒体判別の結果、ホログラフィを利用してデジタル情報を記録または再生するホログラム記録媒体１であると判断されると、ホログラム記録再生装置１０はホログラム記録媒体１に設けられたコントロールデータを読み出し（ステップＳ４０３）、例えばホログラム記録媒体１に関する情報や、例えば記録や再生時における各種設定条件に関する情報を取得する。【００４３】
コントロールデータの読み出し後は、コントロールデータに応じた各種調整やピックアップ１１に関わる学習処理（ステップＳ４０４）を行う。これによりホログラム記録再生装置１０は記録または再生の準備が完了し、セットアップ処理を終了する（ステップＳ４０５）。【００４４】
次に、準備完了状態から情報を記録するまでの動作フローについて図４（ｂ）を用いて説明する。記録処理を開始すると（ステップＳ４１１）、ホログラム記録再生装置１０は記録データを受信して（ステップＳ４１２）、該データに応じた２次元データをピックアップ１１内の空間光変調器２１２に送る。【００４５】
その後、ホログラム記録媒体１に高品質の情報を記録できるように、必要に応じて例えば光源２０１のパワー最適化やシャッタ２０３による露光時間の最適化等の各種記録用学習処理を事前に行う（ステップＳ４１３）。【００４６】
その後、シーク動作（ステップＳ４１４）では媒体搬送制御回路８１を介して媒体搬送部５０を制御して、ピックアップ１１ならびにキュア光学系１３から照射される光ビームがホログラム記録媒体１の所定の位置に照射されるように、ホログラム記録媒体１を位置づけする。ホログラム記録媒体１がアドレス情報を持つ場合には、アドレス情報を再生し、目的の位置に位置づけされているか確認し、目的の位置に配置されていなければ、所定の位置とのずれ量を算出し、再度位置づけする動作を繰り返す。【００４７】
その後、記録するデータをホログラム記録媒体１にホログラムとして記録するデータ記録処理を行う（ステップＳ４１５）。このデータ記録処理の詳細については、後述する。データ記録処理が完了すると、記録処理を終了する（ステップＳ４１６）。なお、必要に応じてデータをベリファイしても構わない。【００４８】
準備完了状態から記録された情報を再生するまでの動作フローについて、図４（ｃ）を用いて説明する。再生処理を開始すると（ステップＳ４２１）、ホログラム記録再生装置１０はまずシーク動作（ステップＳ４２２）で、媒体搬送制御回路８１を制御して、ピックアップ１１ならびに再生用参照光光学系１２から照射される光ビームがホログラム記録媒体１の所定の位置に照射されるように、ホログラム記録媒体１を位置づけする。ホログラム記録媒体１がアドレス情報を持つ場合には、アドレス情報を再生し、目的の位置に位置づけされているか確認し、目的の位置に配置されていなければ、所定の位置とのずれ量を算出し、再度位置づけする動作を繰り返す。【００４９】
その後、ピックアップ１１から参照光を出射し、光検出器２２５で検出した２次元データからホログラム記録媒体１に記録された情報を読み出し（ステップＳ４２３）、再生データを送信する（ステップＳ４２４）。再生データの送信が完了すると、再生処理を終了する（ステップＳ４２５）。【００５０】
図１２は、記録、再生時のデータ処理フローを示したものであり、図１２（ａ）は、入出力制御回路９０において記録データ受信処理Ｓ４１２後、空間光変調器２１２上の２次元データに変換するまでの信号生成回路８６での記録データ処理フローを示しており、図１２（ｂ）は光検出器２２５で２次元データを検出後、入出力制御回路９０における再生データ送信処理Ｓ４２４までの信号処理回路８５での再生データ処理フローを示している。【００５１】
図１２（ａ）を用いて記録時のデータ処理について説明する。記録データを受信（ステップＳ１２０１）すると、複数のデータ列に分割、再生時にエラー検出が行えるように各データ列をＣＲＣ化（ステップＳ１２０２）し、オンピクセル数とオフピクセル数をほぼ等しくし、同一パターンの繰り返しを防ぐことを目的にデータ列に擬似乱数データ列を加えるスクランブル（ステップＳ１２０３）を施した後、再生時にエラー訂正が行えるようにリード・ソロモン符号等の誤り訂正符号化（ステップＳ１２０４）を行う。次にこのデータ列をＭ×Ｎの２次元データに変換し、それを１ページデータ分繰返すことで１ページ分の２次元データ（ステップＳ１２０５）を構成する。このように構成した２次元データに対して再生時の画像位置検出や画像歪補正での基準となるマーカーを付加（ステップＳ１２０６）し、空間光変調器２１２にデータを転送（ステップＳ１２０７）する。【００５２】
次に図１２（ｂ）を用いて再生時のデータ処理フローについて説明する。光検出器２２５で検出された画像データが信号処理回路８５に転送（ステップＳ１２１１）される。この画像データに含まれるマーカーを基準に画像位置を検出（ステップＳ１２１２）し、画像の傾き・倍率・ディストーションなどの歪みを補正（ステップＳ１２１３）した後、２値化処理（ステップＳ１２１４）を行い、マーカーを除去（ステップＳ１２１５）することで１ページ分の２次元データを取得（ステップＳ１２１６）する。このようにして得られた２次元データを複数のデータ列に変換した後、誤り訂正処理（ステップＳ１２１７）を行い、パリティデータ列を取り除く。次にスクランブル解除処理（ステップＳ１２１８）を施し、ＣＲＣによる誤り検出処理（ステップＳ１２１９）を行ってＣＲＣパリティを削除した後に再生データを入出力制御回路９０経由で送信（ステップＳ１２２０）する。【００５３】
図１３は、ホログラム記録再生装置１０の信号生成回路８６のブロック図である。【００５４】
入出力制御回路９０に記録データの入力が開始されると、入出力制御回路９０はコントローラ８９に記録データの入力が開始されたことを通知する。コントローラ８９は本通知を受け、信号生成回路８６に入出力制御回路９０から入力される１ページ分のデータを記録処理するよう命ずる。コントローラ８９からの処理命令は制御用ライン８６０８を経由し、信号生成回路８６内サブコントローラ８６０１に通知される。本通知を受け、サブコントローラ８６０１は各信号処理回路を並列に動作させるよう制御用ライン８６０８を介して各信号処理回路の制御を行う。先ずメモリ制御回路８６０３に、データライン８６０９を介して入出力制御回路９０から入力される記録データをメモリ８６０２に格納するよう制御する。メモリ８６０２に格納した記録データが、ある一定量に達すると、ＣＲＣ演算回路８６０４で記録データをＣＲＣ化する制御を行う。次にＣＲＣ化したデータに、スクランブル回路８６０５で擬似乱数データ列を加えるスクランブル化を施し、誤り訂正符号化回路８６０６でパリティデータ列を加える誤り訂正符号化する制御を行う。最後にピックアップインターフェース回路８６０７にメモリ８６０２から誤り訂正符号化したデータを空間光変調器２１２上の２次元データの並び順で読み出させ、再生時に基準となるマーカーを付加した後、ピックアップ１１内の空間光変調器２１２に２次元データを転送する。【００５５】
図１４は、ホログラム記録再生装置１０の信号処理回路８５のブロック図である。【００５６】
コントローラ８９はピックアップ１１内の光検出器２２５が画像データを検出すると、信号処理回路８５にピックアップ１１から入力される１ページ分のデータを再生処理するよう命ずる。コントローラ８９からの処理命令は制御用ライン８５１１を経由し、信号処理回路８５内サブコントローラ８５０１に通知される。本通知を受け、サブコントローラ８５０１は各信号処理回路を並列に動作させるよう制御用ライン８５１１を介して各信号処理回路の制御を行う。先ず、メモリ制御回路８５０３に、データライン８５１２を介して、ピックアップ１１からピックアップインターフェース回路８５１０を経由して入力される画像データをメモリ８５０２に格納するよう制御する。メモリ８５０２に格納されたデータがある一定量に達すると、画像位置検出回路８５０９でメモリ８５０２に格納された画像データ内からマーカーを検出して有効データ範囲を抽出する制御を行う。次に検出されたマーカーを用いて画像歪み補正回路８５０８で、画像の傾き・倍率・ディストーションなどの歪み補正を行い、画像データを期待される２次元データのサイズに変換する制御する。サイズ変換された２次元データを構成する複数ビットの各ビットデータを、２値化回路８５０７において“０”、“１”判定して２値化し、メモリ８５０２上に再生データの出力の並びでデータを格納する制御を行う。次に誤り訂正回路８５０６で各データ列に含まれる誤りを訂正し、スクランブル解除回路８５０５で擬似乱数データ列を加えるスクランブルを解除した後、ＣＲＣ演算回路８５０４でメモリ８５０２上の再生データ内に誤りが含まれない確認を行う。その後、入出力制御回路９０にメモリ８５０２から再生データを転送する。【００５７】
ここで、本実施例におけるデータ記録処理Ｓ４１５の処理フローについて、図５を用いて説明する。
データ記録処理を開始すると（ステップＳ５０１）、まずカウントを行う変数ｋをゼロにリセットし、ｋ＝０とする（ステップＳ５０２）。【００５８】
ステップＳ５０２の後、ホログラム記録再生装置１０は、キュア光学系１３から出射する光ビームを用いて所定の領域をプリキュアする（ステップＳ５０３）。ステップＳ５０３にてプリキュアされた領域を、以後、プリキュア領域と称する。【００５９】
ステップＳ５０３の後、信号光と参照光を用いてホログラムの記録を行う。このとき更に、参照光の角度を変更して角度多重を行い、同一体積に多重記録を行う。本明細書においては、参照光の角度のみを変更してホログラム記録媒体１の同一体積に多重記録した領域を、ブックという単位で称する。即ち、ステップＳ５０３の後には、１つのブックについて多重記録を行う（ステップＳ５０４）。【００６０】
なお本実施例においては、ステップＳ５０３でプリキュアされるプリキュア領域は、１ブックのサイズよりも大きいものとする。【００６１】
このブックをホログラム記録媒体１に敷き詰めることにより、情報の記録が行われる。ブックを敷き詰める際の単位を、本明細書においてはブックケースと称する。更に本実施例では、プリキュア領域とブックケースは同一であるとする。即ち、ステップＳ５０３にてプリキュアされたプリキュア領域を、ブックという所定サイズの領域で分割し、各々のブックについて記録を行っていく。【００６２】
続いて、現在記録中のブックケース（本実施例においては、ステップＳ５０３においてプリキュアを行ったプリキュア領域と同一）について、全ブックの記録が完了したかどうかを判断する（ステップＳ５０５）。【００６３】
現在記録中のブックケースについて、全ブックの記録が完了していない場合（ステップＳ５０５でＮｏの場合）、ブック移動を行う（ステップＳ５０６）。この処理は、媒体搬送部５０によってホログラム記録媒体１を移動することで行われ、現在記録中のブックケースの内部で、未記録状態である位置に位置付ける。ステップＳ５０６の後、ステップＳ５０４に戻り、ステップＳ５０６で位置付けした位置に対してブックの記録を行う。【００６４】
現在記録中のブックケースについて、全ブックの記録が完了した場合（ステップＳ５０５でＹｅｓの場合）、ステップＳ５０３においてプリキュアを行ったプリキュア領域は、記録済みブックで敷き詰められた状態となっている。即ち、以上の動作によれば、ホログラム記録媒体上の所定領域（ブックケース）の内部が所定の間隔でホログラムが記録されるように記録処理が行われる。【００６５】
単一ブックの記録と区別するため、本明細書ではブックケース記録という表現を定義する。ブックケースという所定領域の内部が、情報の記録されたホログラムが所定の間隔で配置された状態になるように、記録位置を変えながらホログラムの記録を行う一連の記録のことを、ブックケース記録と称する。ブックケース記録は、ブックケースという所定領域についてブックを記録しながら敷き詰める動作と言い換えることもできる。【００６６】
本実施例においてブックケース記録は、コントローラ８９からの指示によって行われる。コントローラ８９からの指示により、媒体搬送制御回路８１を介して媒体搬送部５０を駆動して記録位置を変更すると共に、シャッタ制御回路８７を介して参照光と信号光の照射時間を制御することで、前記ブックケース記録が行われる。即ち、本実施例においては、コントローラ８９がブックケース記録を行う手段として機能する。【００６７】
ステップＳ５０５でＹｅｓの場合、変数ｋをカウントアップし（ステップＳ５０７）、変数ｋが所定の数値Ｎ以上かどうかを判断する（ステップＳ５０８）。ここで所定の数値Ｎは、２以上の整数とする。【００６８】
変数ｋが所定の数値Ｎ以上でない場合（ステップＳ５０８でＮｏの場合）、次のブックケースへ移動する（ステップＳ５０９）。この処理は、媒体搬送制御回路８１を制御してホログラム記録媒体１の位置を変更することにより、相対的にピックアップ１１ならびにキュア光学系１３の位置を変更することで実現される。ステップＳ５０９の後は、ステップＳ５０３に戻る。この動作により、次のブックケースに対して同様にブックケース記録を行う動作となる。【００６９】
変数ｋが所定の数値Ｎ以上である場合（ステップＳ５０８でＹｅｓの場合）、記録済かつポストキュア未実施の領域についてキュア光学系１３から出射する光ビームを用いてポストキュアを行う（ステップＳ５１０）。ステップＳ５０２のカウンタリセット後、Ｎ個のブックケースが全て記録済みブックで敷き詰められた場合にこの条件が満足され、ステップＳ５１０においてＮ個のブックケースに対してポストキュアが行われる。ステップＳ５１０にてポストキュアされる領域を、以後、ポストキュア領域と称する。なおＮ個のブックケースをどの順序でポストキュアするかについては、後述する。【００７０】
ステップＳ５１０の後、ホログラム記録媒体１の全面について記録が完了したかを判断する（ステップＳ５１１）。ホログラム記録媒体１の全面について記録が完了していない場合（ステップＳ５１１でＮｏの場合）、媒体搬送部５０を駆動してホログラム記録媒体１の位置を変更し、次のブックケースへ移動する（ステップＳ５１２）。ステップＳ５１２の後は、ステップＳ５０２に戻る。【００７１】
ステップＳ５１２の後にステップＳ５０２に戻ると、変数ｋはリセットされる。以上の動作により変数ｋは、ポストキュアが未実施であり、かつ記録済みブックで敷き詰められたブックケースの個数をカウントする変数となる。【００７２】
ホログラム記録媒体１の全面について記録が完了した場合（ステップＳ５１１でＹｅｓの場合）、データ記録処理を終了する（ステップＳ５１３）。【００７３】
このように本実施例においては、ブックケースに対するブックケース記録が完了してすぐにポストキュアを行わない。ブックケースごとにプリキュアを行いそのブックケースに対してブックケース記録を行う（別の言い方をすればブックケースについてブックを記録しながら敷き詰めていく）という一連の動作を複数回（Ｎ回）行い、Ｎ個のブックケースに対してまとめてポストキュアを行う。この動作をホログラム記録媒体１の全面について記録が完了するまで繰り返す。【００７４】
図６は、本実施例におけるプリキュア領域とブックケース、ブック、ポストキュア領域の関係を示す図である。【００７５】
図６（ａ）の符号６０１、符号６０２、符号６０３はブックケースを示し、本実施例においてはプリキュア領域と同一である。本実施例では、ブックケースは長方形の形状をしているものとする。また符号６０１、符号６０２、…、符号６０３の順に、合計Ｎ個のブックケースについてブックケース記録が行われるものとする。符号６０４はポストキュア領域であり、上述したＮ個のブックケースの集合である。【００７６】
図６（ｂ）は単一のブックケースを図示したものであり、図６（ｂ）は一例として第一のブックケース６０１を例に示している。符号６０５乃至符号６１３はそれぞれがブックを示しており、第一のブックケース６０１の内部はブックが所定の間隔で配置されている。なお以降の説明では、数学の行列の定義と同様に、図６（ｂ）において横方向に並んだブックの集合を行、縦方向に並んだブックの集合を列と呼ぶことにする。【００７７】
各ブックに付けられた符号の数値の大小は、記録時のブックの記録の順番に対応している。即ち第一のブックケース６０１におけるブックの記録順としては、まずブック６０５を記録した後にブック６０６を記録し、同様に図における右方向に移動をしていきブック６０７までを記録する。ブック６０７を記録した後は下方向に移動してブック６０８を記録し、ブック６０９からブック６１１まで、左方向に移動しながら記録をしていく。このような動作を繰り返し、下端においてはブック６１２からブック６１３まで、右方向に移動しながら記録をしていく。このように本実施例におけるブックの記録順序は、行ごとに記録の方向を交互に左右反転させながら記録していく。【００７８】
ここでは第一のブックケース６０１におけるブックの記録順序を説明したが、他のブックケースについても同様の記録を行うものとする。【００７９】
このようにして、ブックケースの内部は、所定の間隔でブックが記録され、最終的に長方形状のブックケースを一つの単位として、一連のブック記録が行われる。また、ブックケース６０１とブックケース６０２の間は、ブックの記録順序が不連続になる。このように、ブックケースはブックの記録順序が不連続になる単位でもある。【００８０】
次に、ステップＳ５１０のポストキュア処理において、Ｎ個のブックケースをどの順序でポストキュアするかを説明する。本実施例におけるキュア光学系１３はプリキュア、ポストキュアで共通であるため、一度にキュアできる面積は共通である。共通化する構成は、部品数が少なくなり小型化できる利点がある。【００８１】
このようにキュア光学系１３を共通化した構成の場合、ポストキュア処理Ｓ５１０においてはＮ回の光ビームの照射を行う必要がある。本実施例においては、符号６０１、符号６０２、…、符号６０３の順に、合計Ｎ個の領域をポストキュアする。【００８２】
即ち、Ｎ個のブックケースに対してまとめてポストキュアを行う際に、ブックケース記録を行った領域の順に、キュア光学系１３から照射される光ビームを照射してポストキュアを行っていく。【００８３】
更に、図６（ｃ）は、ポストキュア領域の配置を説明する図である。図６（ｃ）において符号６０４は図６（ａ）のポストキュア領域６０４と同一であり、６１４乃至６１６は各々がポストキュア領域である。【００８４】
ステップＳ５１１にてＮｏとなり、ステップＳ５１２に進んだ場合、次にポストキュアする領域に移動する。このときのポストキュア領域の間には、図６（ｃ）に示すように所定の幅ｄを設ける。また、斜線で塗られた幅ｄの領域は、ダミーの情報を記録したブックを敷き詰める。なお、このダミーのブックを記録する処理は、図５の処理フローにおいては省略している。【００８５】
次に、本実施例による効果について説明する。【００８６】
ホログラムの記録においては、プリキュアをした後に角度多重などのホログラム記録を行い、その後にポストキュアを行う。【００８７】
このポストキュアについては、以下に示す３つの課題について十分に考慮する必要がある。第一の課題は、ホログラム記録後、所定の時間を待ってからポストキュアを行う必要がある点である。ホログラムの記録においてはまず、信号光と参照光が干渉して干渉縞ができ、拡散運動によりモノマーがその縞に沿うように移動することで媒体中に屈折率変化が生じる。そしてポストキュアによってこの屈折率変化が固定化される。第一の課題は、この記録過程におけるモノマーの拡散運動に時間を要するために生じる。本明細書においては、この時間を暗反応時間と称する。即ち第一の課題は、暗反応時間の待ち時間が発生してしまうこと、と表現できる。暗反応時間は媒体の特性に依存するが、例えば数分程度の時間である。ホログラム記録後に十分な時間を待たずにポストキュアを行った場合には、再生時に十分な回折効率を得られず、再生不可能になる可能性がある。【００８８】
第二の課題は、ホログラム記録後にポストキュアを行うまでの時間には制約がある点である。この時間制約はポストキュアタイムアウトとも呼ばれる。例えばホログラム記録媒体がＤＶＤなどの光ディスクと同等の面積を持つ場合には、全面記録に要する時間よりもポストキュアタイムアウトの方が短くなりうることを本発明者は見出した。【００８９】
即ち、全面記録を終えた後に初めてポストキュアを行った場合には、ホログラム記録媒体に対して最初に記録したブックに関しては既にポストキュアタイムアウトを過ぎてしまう。仮に、ポストキュアタイムアウトを過ぎてからポストキュアを行った場合、再生時に十分な回折効率を得られず、再生不可能になる可能性がある。【００９０】
なお、ポストキュアタイムアウトに関する課題は、全面記録時間が速くなればそれだけ解決する方向である。しかしながら、実際の転送速度及び実際の媒体におけるポストキュアタイムアウトの値を鑑みたとき、第二の課題が無視できないことを本発明者は見出した。【００９１】
ポストキュアタイムアウトは媒体の特性に依存するが、例えば３０分程度の時間である。例えばポストキュアタイムアウトが３０分の媒体を用いた場合、全面記録に要する時間（プリキュアに要する時間も含む）が３０分を超える場合には、全面記録を終えた後に初めてポストキュアを行うことはできない。【００９２】
第三の課題は、ポストキュアを行う範囲の周辺は、連続的にブックを配置できない点である。これはポストキュアによって媒体の収縮が起こり、ポストキュアされた領域の周辺では媒体が局所的に歪むため、連続的にブックを配置できないためである。このため、通常、ポストキュアを行う範囲の周辺は、ダミーの情報を記録したブックを敷き詰め、所定の間隔を空けてデータを記録したブックを配置する。上記のダミーの情報を記録したブックを敷き詰める領域をダミー領域と称する。ダミー領域は情報の記録されない領域となるため、ダミー領域が多いと記録容量の低下を招く。このことから、ダミー領域を少なくすることが望ましい。【００９３】
第一の課題、第二の課題とも、考慮が不十分だった場合には不十分な記録となってしまう。そのため、上記２つの課題を考慮の上で記録処理を行う必要がある。また第三の課題は、ポストキュアする領域の広さを決定する上で、考慮すべき事項である。【００９４】
またプリキュアに関して、プリキュアは角度多重などのホログラム記録を行う直前に行う方が、十分な回折効率を得られる。即ち、プリキュア領域を広くしすぎた場合にも、問題となる可能性がある。【００９５】
第一及び第二の課題を解決するために、所定の領域についてブック記録を行った後、該所定領域の暗反応時間が経過するまでの間に次の領域についてのブック記録を行い、該所定領域の暗反応時間が経過した後に該所定領域に対するポストキュアを行う構成とした。更に第三の課題を解決するため、一度にポストキュアを行う領域を広くすることが可能な構成とした。【００９６】
本発明を用いない場合の課題について、図６（ｂ）に示す第一のブックケース６０１を用いて具体的に説明する。第一のブックケース６０１において最後に記録されるブックは、ブック６１３である。ブック６１３を記録してブックケース６０１内部の全ブックの記録が完了したとき、すぐにポストキュアをすることができない。そのため、第一の前述の暗反応時間を待った後、ポストキュアを行う必要がある。即ち、プリキュア後にブックケース記録を行い、暗反応時間を待ってポストキュアを行うという一連の動作により、ブックケース６０１に対して情報の記録が完了する。【００９７】
しかしこの場合には、暗反応時間を待つという処理が発生する。この待ち時間はブックケースごとに発生するため、ホログラム記録媒体の全面を記録する場合には無駄時間が多くなる。また、前述したように、全面記録を終えた後に初めてポストキュアを行うことはできない。このように、本発明を用いずに第一の課題及び第二の課題を解決するには、暗反応時間を待つという処理が発生してしまう。前述の特許文献１で開示されている構成は、暗反応時間を考慮しているため、ホログラム記録媒体に対する適正な記録は実現できるが、ホログラム記録媒体に対する記録時間の観点では、課題があった。このように、暗反応時間の待ち時間を削減できれば、記録時間を短縮できる。【００９８】
これに対し本実施例によれば、第一のブックケース６０１の記録が完了した後、第一のプブックケース６０１において最後に記録されたブック６１３の暗反応時間が経過するまでの時間を待つ代わりに、第二のブックケース６０２からＮ個目のブックケース６０３に対してブックケース記録を行う。ここで、ブックケース６０３のブック記録完了時には、ブック６１３の暗反応時間が経過しているとする。言い換えれば、Ｎはこの条件を満たすように決定する。【００９９】
Ｎ個目のブックケース６０３に対するブックケース記録完了後、第一のブックケース６０１をポストキュアし、続いて第二のブックケース６０２からＮ個目のブックケース６０３までを順にポストキュアする。以上の動作により、ブック６１３の暗反応時間が経過するまでの間に、次のブックケースに対するブックケース記録を行うことになり、暗反応時間の待ち時間を発生させずに連続的にブック記録を行うことができる。これにより、第一の課題を解決できる。【０１００】
また暗反応時間は数分程度の時間であるので、ポストキュアタイムアウトが経過するよりも前にポストキュアを行うことが可能であり、第二の課題についても解決できる。【０１０１】
また本実施例によればプリキュア領域（例えば図６（ａ）の６０１）よりもポストキュア領域（図６の６０４）をＮ倍広くすることができる。本発明を用いない場合には、プリキュア領域とポストキュア領域は同一の面積であり、図６（ａ）の第一のプリキュア領域６０１と第二のプリキュア領域６０２の間にはダミー領域を設ける必要があった。これに対し本実施例によれば、図６（ａ）の第一のプリキュア領域６０１と第二のプリキュア領域６０２の間には、未記録部を所定の量だけ残す必要はなく、ポストキュア領域６０４の全範囲に渡って、連続的にブックを配置できる。なおプリキュア領域のサイズは従来同等とできるため、プリキュアに関しても問題とはならない。【０１０２】
なお本実施例におけるブックケース内のブックの記録順序は、図６（ｂ）に示したとおり行ごとに記録の方向を交互に左右反転させながら記録していくとしたが、この順序に限定されるものではない。例えば、行ごとに同じ方向に記録してもよいし、列ごとに縦方向に記録をしてもよい。【０１０３】
以上の動作により、暗反応時間及びポストキュアタイムアウトを考慮した上で記録処理を行うことができ、ホログラム記録媒体に対する適正な記録と記録時間の短縮を同時に実現できる。また、ポストキュア領域を広くすることが可能になり、ダミー領域を少なくして記録容量を増加できる。【０１０４】
このように本実施例によれば、ホログラム記録媒体に対する好適な記録を実現できる。
【実施例２】
【０１０５】
実施例１においては、ブックケースが長方形の形状をしているものとした。これは、ホログラム記録媒体が長方形である場合に、好適な構成である。本実施例においては、ホログラム記録媒体が円形である場合を考えた場合の実施の形態である。【０１０６】
本発明の実施形態を添付図面にしたがって説明する。図７はホログラフィを利用してデジタル情報を記録および／または再生するホログラム記録媒体の記録再生装置を示すブロック図である。なお、実施例１のブロック図である図１と共通の構成要素については同一の番号を付し、説明を省略する。【０１０７】
ホログラム記録再生装置１０は、ピックアップ１１、再生用参照光光学系１２、キュア光学系１３、ディスク回転角度検出用光学系１４、及び回転モータ５１、半径方向搬送部５２を備えており、ホログラム記録媒体２は回転モータ５１によって回転可能な構成となっている。同時にホログラム記録媒体２は半径方向搬送部５２によって半径方向に移動可能な構成となっている。【０１０８】
このようにピックアップ１１ならびに再生用参照光光学系１２から照射される光ビームがホログラム記録媒体２の所定の位置に照射されるように制御を行う構成要素は、実施例１においては媒体搬送部５０の一つでＸ軸―Ｙ軸の２軸を制御可能な要素としていたところを、本実施例では回転モータ５１と半径方向搬送部５２の２つの構成要素にて実現している。【０１０９】
ディスク回転角度検出用光学系１４は、ホログラム記録媒体２の回転角度を検出するために用いられる。本実施例のホログラム記録媒体２は、回転角度を検出するためのパターンを有する。ホログラム記録媒体２を所定の回転角度に調整する場合は、ディスク回転角度検出用光学系１４によって回転角度に応じた信号を検出し、検出された信号を用いてコントローラ８９によって回転モータ制御回路９２を介して回転モータ５１を駆動し、ホログラム記録媒体２の回転角度を制御する事が出来る。【０１１０】
ホログラム記録媒体２の半径位置を調整する場合は、コントローラ８９によって半径方向搬送制御回路９３を介して半径方向搬送部５２を駆動し、ホログラム記録媒体２の半径位置を制御する事が出来る。【０１１１】
本実施例においては、回転モータ制御回路９２及び回転モータ５１及び半径方向搬送制御回路９３及び半径方向搬送部５２が、ホログラム記録媒体１上の記録位置を変更する手段として機能する。【０１１２】
本実施例の光源駆動回路９４からは所定の光源駆動電流がピックアップ１１、キュア光学系１３、ディスク回転角度検出用光学系１４内の光源に供給され、各々の光源からは所定の光量で光ビームを発光することができる。【０１１３】
また、ピックアップ１１、キュア光学系１３、ディスク回転角度検出用光学系１４は、いくつかの光学系構成または全ての光学系構成をひとつに纏めて簡素化しても構わない。【０１１４】
ホログラム記録再生装置１０にホログラム記録媒体２を挿入した後、記録または再生の準備が完了するまでの動作フロー、準備完了状態からホログラム記録媒体２に情報を記録するまでの動作フロー、準備完了状態からホログラム記録媒体２に記録した情報を再生するまでの動作フローについては、実施例１における動作フローである図４と同様であるが、データ記録処理Ｓ４１５についてのみ、処理フローが異なる。なお、ホログラム記録媒体の位置付けを行う際に実施例１において媒体搬送部５０を制御するとして説明していた内容は、本実施例においては適宜、回転モータ５１と半径方向搬送部５２を組み合わせて制御すると読み替えればよい。【０１１５】
以下、本実施例におけるデータ記録処理Ｓ４１５の処理フローについて、図９を用いて説明する。【０１１６】
データ記録処理を開始すると（ステップＳ９０１）、まずカウントを行う変数ｋ及び変数ｉ及び変数ｊをゼロにリセットし、ｋ＝ｉ＝ｊ＝０とする（ステップＳ９０２）。【０１１７】
ステップＳ９０２の後、ホログラム記録再生装置１０は、キュア光学系１３から出射する光ビームを用いて所定の領域をプリキュアする（ステップＳ９０３）。ステップＳ９０３にてプリキュアされた領域を、以後、プリキュア領域と称する。【０１１８】
ステップＳ９０３の後、信号光と参照光を用いてホログラムの記録を行う。このとき更に、参照光の角度を変更して角度多重を行い、同一体積に多重記録を行う。即ち、ステップＳ９０３の後には、１つのブックについて多重記録を行う（ステップＳ９０４）。【０１１９】
なお本実施例においては、ステップＳ９０３でプリキュアされるプリキュア領域は、１ブックのサイズよりも大きいものとする。【０１２０】
本実施例では、プリキュア領域とブックケースは同一であるとする。即ち、ステップＳ９０３にてプリキュアされたプリキュア領域を、ブックという所定サイズの領域で分割し、各々のブックについて記録を行っていく。【０１２１】
ステップＳ９０４の後、変数ｉをカウントアップする（ステップＳ９０５）。その後、変数ｉが所定の配列Ｔのｊ番目の要素、Ｔ［ｊ］以上であるかを判断する（ステップＳ９０６）。【０１２２】
変数ｉがＴ［ｊ］以上ではない場合（ステップＳ９０６でＮｏの場合）、ホログラム記録再生装置１０は、回転モータ制御回路９２を介して回転モータ５１を駆動し、円周方向にブックを移動する（ステップＳ９０７）。これは回転モータ５１を駆動することでホログラム記録媒体２を回転し、相対的にピックアップ１１ならびにキュア光学系１３の位置を変更することで実現される。【０１２３】
ステップＳ９０７に続いて、変数ｉをリセットし（ステップＳ９０８）、ステップＳ９０４に戻る。ステップＳ９０４に戻った後は、ステップＳ９０７で位置付けした位置に対してブックの記録を行う。
以上の動作により変数ｉは、円周方向に敷き詰めた記録済みブックの数をカウントする変数となる。【０１２４】
変数ｉがＴ［ｊ］以上である場合（ステップＳ９０６でＹｅｓの場合）、変数ｊをカウントアップし（ステップＳ９０９）、続いて現在記録中のブックケースについて、全ブックの記録が完了したかどうかを判断する（ステップＳ９１０）。【０１２５】
現在記録中のブックケースについて、全ブックの記録が完了していない場合（ステップＳ９１０でＮｏの場合）、ホログラム記録再生装置１０は、半径方向搬送制御回路９３を介して半径方向搬送部５２を駆動し、半径方向にブックを移動する（ステップＳ９１１）。これは半径方向搬送部５２を駆動することでホログラム記録媒体２を半径方向に搬送し、相対的にピックアップ１１ならびにキュア光学系１３の位置を変更することで実現される。【０１２６】
ステップＳ９１１の後、変数ｊをリセットし、ステップＳ９０４に戻る。ステップＳ９０４に戻った後は、ステップＳ９１１で位置付けした位置に対してブックの記録を行う。以上の動作により変数ｊは、円周方向に記録済みブックを敷き詰め終わった行をカウントする変数となる。これは、半径方向に敷き詰めた記録済みブックの数をカウントする変数と考えることもできる。【０１２７】
現在記録中のブックケースについて、全ブックの記録が完了した場合（ステップＳ９１０でＹｅｓの場合）、ステップＳ９０３においてプリキュアを行ったプリキュア領域は、記録済みブックで敷き詰められた状態となっている。即ち、以上の動作によれば、前記ホログラム記録媒体上の所定領域（ブックケース）の内部が所定の間隔で前記ホログラムが記録されるように、ブックケース記録が行われる。【０１２８】
本実施例においてブックケース記録は、コントローラ８９からの指示によって行われる。コントローラ８９からの指示により、回転モータ制御回路９２と半径方向搬送制御回路９３を介して回転モータ５１と半径方向搬送部５２を駆動して記録位置を変更すると共に、シャッタ制御回路８７を介して参照光と信号光の照射時間を制御することで、前記ブックケース記録が行われる。即ち本実施例においては、コントローラ８９がブックケース記録を行う手段として機能する。【０１２９】
ステップＳ９１０でＹｅｓの場合、変数ｋをカウントアップし（ステップＳ９１３）、変数ｋが所定の数値Ｎ以上かどうかを判断する（ステップＳ９１４）。ここで所定の数値Ｎは、２以上の整数とする。【０１３０】
変数ｋが所定の数値Ｎ以上でない場合（ステップＳ９１４でＮｏの場合）、ホログラム記録再生装置１０は、回転モータ制御回路９２を介して回転モータ５１を駆動して、次のブックケースへ移動する（ステップＳ９１５）。ステップＳ９１５の後は、ステップＳ９０３に戻る。この動作により、次のブックケースに対して同様にブックケース記録を行う動作となる。【０１３１】
変数ｋが所定の数値Ｎ以上である場合（ステップＳ９１４でＹｅｓの場合）、記録済かつポストキュア未実施の領域についてキュア光学系１３から出射する光ビームを用いてポストキュアを行う（ステップＳ９１６）。ステップＳ９０２のカウンタリセット後、Ｎ個のブックケースが全て記録済みブックで敷き詰められた場合にこの条件が満足され、ステップＳ９１６においてＮ個のブックケースに対してポストキュアが行われる。ステップＳ９１６にてポストキュアされる領域を、以後、ポストキュア領域と称する。なおＮ個のブックケースをどの順序でポストキュアするかについては、後述する。【０１３２】
ステップＳ９１６の後、ホログラム記録媒体２の全面について記録が完了したかを判断する（ステップＳ９１７）。ホログラム記録媒体２の全面について記録が完了していない場合（ステップＳ９１７でＮｏの場合）、回転モータ５１または半径方向搬送部５２を駆動してホログラム記録媒体２の位置を変更し、次のブックケースへ移動する（ステップＳ９１８）。ステップＳ９１８の後は、ステップＳ９０２に戻る。【０１３３】
ステップＳ９１２の後にステップＳ９０２に戻ると、変数ｋはリセットされる。以上の動作により変数ｋは、ポストキュアが未実施であり、かつ記録済みブックで敷き詰められたブックケースの個数をカウントする変数となる。【０１３４】
ホログラム記録媒体２の全面について記録が完了した場合（ステップＳ９１７でＹｅｓの場合）、データ記録処理を終了する（ステップＳ９１９）。【０１３５】
このように本実施例においては、ブックケースに対するブックケース記録が完了してすぐにポストキュアを行わない。ブックケースごとにプリキュアを行いそのブックケースに対してブックケース記録を行う（別の言い方をすればブックケースについてブックを記録しながら敷き詰めていく）という一連の動作を複数回（Ｎ回）行い、Ｎ個のブックケースに対してまとめてポストキュアを行う。この動作をホログラム記録媒体２の全面について記録が完了するまで繰り返す。【０１３６】
図８は、本実施例におけるプリキュア領域とブックケース、ブック、ポストキュア領域の関係を示す図である。【０１３７】
図８（ａ）の符号８０１、符号８０２、符号８０３はブックケースを示し、本実施例においてはプリキュア領域と同一である。本実施例では、ブックケースは台形の形状をしているものとする。また符号８０１、符号８０２、…、符号８０３の順に、合計Ｎ個のブックケースについてブックケース記録が行われるものとする。符号８０４はポストキュア領域であり、上述したＮ個のブックケースの集合である。【０１３８】
図８（ｂ）は単一のブックケースを図示したものであり、図８（ｂ）は一例として第一のブックケース８０１を例に示している。符号８０５乃至符号８１３はそれぞれがブックを示しており、第一のブックケース８０１の内部はブックが所定の間隔で配置されている。なお以降の説明では、数学の行列の定義と同様に、図８（ｂ）において横方向に並んだブックの集合を行、縦方向に並んだブックの集合を列と呼ぶことにする。また図８（ｂ）において横方向が円周方向、縦方向が半径方向に相当する。【０１３９】
各ブックに付けられた符号の数値の大小は、記録時のブックの記録の順番に対応している。即ち第一のブックケース８０１におけるブックの記録順としては、まずブック８０５を記録した後にブック８０６を記録し、同様に図における右方向に移動をしていきブック８０７までを記録する。ブック８０７を記録した後は下方向に移動してブック８０８を記録し、ブック８０９からブック８１１まで、左方向に移動しながら記録をしていく。このような動作を繰り返し、下端においてはブック８１２からブック８１３まで、右方向に移動しながら記録をしていく。このように本実施例におけるブックの記録順序は、行ごとに記録の方向を交互に左右反転させながら記録していく。【０１４０】
またブックケースが台形の形状をしているため、ブックケース内の各々の行について、ブックの数は異なる。この数は、列のインデックスｊを引数として配列Ｔ［ｊ］にて管理されている。図８（ｂ）の変数Ｍは、ブックを敷き詰めて構成されるブックケースの行の数である。すなわち、ブックケースの高さはブックの高さのＭ倍である。【０１４１】
ここでは第一のブックケース８０１におけるブックの記録順序を説明したが、他のブックケースについても同様の記録を行うものとする。【０１４２】
このようにして、ブックケースの内部は、所定の間隔でブックが記録され、最終的に台形状のブックケースを一つの単位として、一連のブック記録が行われる。また、ブックケース６０１とブックケース６０２の間は、ブックの記録順序が不連続になる。このように、ブックケースはブックの記録順序が不連続になる単位でもある。【０１４３】
このように本実施例における単一のブックケースは、図８（ｂ）に示すとおり台形の形状をしているため、図８（ａ）に示すとおり円形のホログラム記録媒体２の円周方向に沿ってブックを配置していくのに好適である。【０１４４】
次に、ステップＳ９１６のポストキュア処理において、Ｎ個のブックケースをどの順序でポストキュアするかを説明する。本実施例におけるキュア光学系１３はプリキュア、ポストキュアで共通であるため、一度にキュアできる面積は共通である。共通化する構成は、部品数が少なくなり小型化できる利点がある。【０１４５】
このようにキュア光学系１３を共通化した構成の場合、ポストキュア処理Ｓ９１６においてはＮ回の光ビームの照射を行う必要がある。本実施例においては、符号８０１、符号８０２、…、符号８０３の順に、合計Ｎ個の領域をポストキュアする。【０１４６】
即ち、Ｎ個のブックケースに対してまとめてポストキュアを行う際に、ブックケース記録を行った領域の順に、キュア光学系１３から照射される光ビームを照射してポストキュアを行っていく。【０１４７】
次に、本実施例による効果について説明する。【０１４８】
実施例１の場合と同様、前述の第一の課題乃至第三の課題のすべてを解決できる。即ち、ホログラム記録媒体に対する適正な記録と記録時間の短縮を同時に実現できる。この「記録時間の短縮」は暗反応時間の待ち時間の削減を指しており、暗反応時間を待つ処理を設けることなく記録処理を行うことができる。また、ポストキュア領域を広くすることが可能になり、ダミー領域を少なくして記録容量を増加できる。【０１４９】
更に本実施例においては、ホログラム記録媒体が円形であることを考慮して、図９の処理フローとすることで更なる記録時間の短縮を図っている。以下、これについて説明する。【０１５０】
まず本実施例の構成においては、ブック間移動に関して、半径方向搬送部５２を駆動してホログラム記録媒体２をブック間の距離だけ移動する速度よりも、回転モータ５１を駆動してホログラム記録媒体２をブック間の距離だけ移動する速度の方が速い。これは図７からわかるように、ホログラム記録媒体２は回転モータ５１と接し、回転軸と一体となって回転する。このため、回転モータ５１にかかる負荷はホログラム記録媒体２のみである。これに対し、半径方向搬送部５２は回転モータ５１と接しているため、半径方向搬送部５２にかかる負荷は回転モータ５１とホログラム記録媒体２となる。即ち、半径方向搬送部５２は回転モータ５１の重量がかかった状態で駆動される。この結果、上述の速度の差が生じる。【０１５１】
次に、上記の速度差を考慮した好適な記録方法について説明する。ここで簡単のために、図１０（ａ）に示すようにブックケースが長方形でＡ行Ｂ列であり、図１０（ｂ）に示すようにブックの記録順序が実施例１のブック移動方法と同様である場合を例に説明する。この場合、ブックの横方向の移動回数Ｎ１は【０１５２】
【数１】
2014033895.tif 000003
【０１５３】
であるのに対し、ブックの縦方向の移動回数Ｎ２は、【０１５４】
【数２】
2014033895.tif 000004
【０１５５】
であり、Ｂが２以上であるとき【０１５６】
【数３】
2014033895.tif 000005
【０１５７】
であることは明らかである。ここでＢが２以上であるという仮定をしたが、ブックケースとブックのサイズを考えた場合、この仮定は成り立つ。【０１５８】
この移動回数の差と前述の速度差を鑑みると、回転モータ５１を駆動してブックが移動する方向を横方向、半径方向搬送部５２を駆動してブックが移動する方向を縦方向とすることにより、記録時間の短縮を図ることができることがわかる。【０１５９】
ここでは記録時間の短縮効果を説明する上で簡単のためにブックケースが長方形である場合を例に説明をしたが、本実施例のようにブックケースが台形形状である場合であっても同様であることは明らかである。即ち本実施例のようにブックケースが台形形状である場合であっても、回転モータ５１を駆動してブックが移動する方向を図８における横方向、半径方向搬送部５２を駆動してブックが移動する方向を図８における縦方向とすることにより、記録時間の短縮を図ることができることがわかる。【０１６０】
本実施例の処理フローである図９において、台形形状のブックケースについてブックを記録しながら敷き詰める際、ステップＳ９０６でＮｏとなった場合にステップＳ９０４に戻るループと、ステップＳ９１０でＮｏとなった場合にステップＳ９０４に戻るループの、２つのループが存在する。このうち、内側のループ、即ちステップＳ９０６でＮｏとなった場合にステップＳ９０４に戻るループの方が、発生頻度が高い。【０１６１】
本実施例においては、内側のループ、即ちステップＳ９０６でＮｏとなった場合にステップＳ９０４に戻るループの場合に、回転モータ５１を駆動してブック移動する構成とした。更に外側のループ、即ちステップＳ９１０でＮｏとなった場合にステップＳ９０４に戻るループの場合には、半径方向搬送部５２を駆動してブック移動を行う。これにより、記録時間の短縮を図ることができる。【０１６２】
更に同様の理由から、ステップＳ９１５の、次のブックケースへの移動処理においても、回転モータ５１を駆動する。この結果、図８（ａ）に示すように、Ｎ個のブックケースは円周方向に沿って配置される。【０１６３】
更に、実施例１と同様の考え方によりブックケース記録を行った領域の順に、キュア光学系１３から照射される光ビームをＮ回照射してポストキュアを行うため、結果的に、ポストキュア時のＮ回の照射時にも、回転モータ５１を駆動することになる。即ち、図８（ｂ）を用いて説明すれば、本実施例のポストキュア処理Ｓ９１６は、第一のブックケース８０１のポストキュアの後に、回転モータ５１を駆動し第二のブックケース８０２のポストキュアを行い、更に回転モータ５１を駆動するという動作を繰り返す。【０１６４】
以上の構成により、図８（ａ）の各ブックケースについて順次ブックケース記録を行う際のブックケースの移動、及び、各ブックケースについて順次ポストキュアを行う際のブック移動について、共に回転モータ５１を駆動して行う構成とした。この構成により、記録時間の更なる短縮が可能である。【０１６５】
なお本実施例ではホログラム記録媒体２が円形である場合を考え、ブックケースを台形形状とした。しかしブックケースを実施例１の場合と同様に長方形形状とし、図９の処理フローとしても効果がある。長方形形状としたことでホログラム記録媒体２を隙間なく並べることはできず記録容量は減少してしまう。しかしながら、動作速度の速い駆動部を優先的に駆動する点は長方形形状とした場合でも同様に実現可能であり、記録時間の短縮効果があるためである。【０１６６】
また本実施例ではピックアップ１１ならびに再生用参照光光学系１２から照射される光ビームがホログラム記録媒体２の所定の位置に照射されるように制御を行う構成要素として回転モータ５１と半径方向搬送部５２の２つの構成要素にて実現した場合で説明したが、前記構成要素はこれに限るものではない。【０１６７】
前記構成要素について一般化すると、次のようになる。ピックアップ１１ならびに再生用参照光光学系１２から照射される光ビームがホログラム記録媒体２の所定の位置に照射されるように制御を行う駆動部が２つ以上存在し（本実施例においては回転モータ５１と半径方向搬送部５２）、各々の動作速度に差がある場合には、次の指針に従い装置設計を行うことが好ましい。【０１６８】
ブックケース記録において頻度が高いブック移動方向（図１０の場合、横方向）と動作速度の速い駆動部（本実施例の場合、回転モータ５１）によりブック移動が可能な方向を一致させ、ブックケース記録において頻度が低いブック移動方向（図１０の場合、縦方向）と動作速度の遅い駆動部（本実施例の場合、半径方向搬送部５２）によりブック移動が可能な方向を一致させる。動作速度の速い駆動部によりブック移動が可能な方向とは、本実施例２の場合で説明すれば、円周に沿って時計回りもしくは円周に沿って反時計回りの方向である。【０１６９】
またＮ個のブックケースについてブックケース記録を行う際のブックケースの移動方向についても同様に、前記ブックケースの移動方向と動作速度の速い駆動部（本実施例の場合、回転モータ５１）によりブック移動が可能な方向を一致させる。【０１７０】
更に、Ｎ個のブックケースから成るポストキュア領域について行う本実施例のポストキュア処理においても、動作速度の速い駆動部（本実施例の場合、回転モータ５１）を駆動してキュア光学系から照射される光ビームの位置を移動させる。【０１７１】
以上の装置設計に基づいた装置には、次の特徴がある。Ｎ個のブックケースから成るポストキュア領域について、隣接するブックケース間を移動する方向は、ブックケース記録処理において駆動される駆動手段のうち、最も駆動する頻度の高い駆動手段により前記ホログラム記録媒体上の位置が移動可能な方向と一致する。【０１７２】
本実施例の場合で説明すれば、隣接するブックケース間を移動する方向は円周方向である。また、ブックケース記録を行う際に最も駆動する頻度の高い駆動手段である回転モータ５１により前記ホログラム記録媒体上の位置が移動する方向も円周方向である。【０１７３】
以上の動作により、暗反応時間及びポストキュアタイムアウトを考慮した上で記録処理を行うことができ、ホログラム記録媒体に対する適正な記録と記録時間の短縮を同時に実現できる。また、ポストキュア領域を広くすることが可能になり、ダミー領域を少なくして記録容量を増加できる。【０１７４】
このように本実施例によれば、ホログラム記録媒体に対する好適な記録を実現できる。【０１７５】
なお以上の実施例では、ピックアップ１１ならびにキュア光学系１３から照射される光ビームがホログラム記録媒体の所定の位置に照射されるように制御する機構として、例えば実施例１における媒体搬送部５０のように、ホログラム記録媒体を搬送する構成とした。しかしこの機構としては、これに限定されるものではない。例えば、ホログラム記録媒体は固定されており、ピックアップ１１やキュア光学系１３を搬送する構成であってもよい。【０１７６】
以上の実施例では参照光の入射角度を変化させて角度多重による記録を行う構成としたが、角度多重以外の多重方法を用いた場合にも、本発明は同様に適用可能である。更に、多重記録を行わないホログラム記録の場合にも、本発明は同様に適用可能である。【０１７７】
以上の実施例におけるブックケースは、実施例１の場合に長方形、実施例２の場合に台形の形状としたが、これに限定されるものではない。しかしながら図６（ｂ）や図８（ｂ）を用いて説明したようにブックケースについてブックを記録しながら敷き詰めていく動作の容易さを考慮したとき、ブックケースが凡そ四角形の形状であることは上記動作を実現しやすい点で、利点がある。即ち、ブックケースが凡そ四角形の形状であれば、図６（ｂ）を用いて説明すれば、横方向にブックを記録していく動作と、それと直交する縦方向にブック移動を行う動作の２つの動作の繰り返しにより実現できる利点がある。図８（ｂ）の場合も、円周方向と半径方向は直交するため、同様である。ブックケースが四角形であるとき、ブックケースとは、所定の軸とそれに直交する軸を用いてホログラム記録媒体上の位置を走査しながらブック記録を行った結果、記録済みブックの集合が成す四角形の領域、と言い換えることもできる。なお上記の所定の軸とそれに直交する軸は、ホログラム記録媒体１の表面に平行な平面上の軸である。【０１７８】
また、ブックケースの境界で隣接するブック同士は、ブックの記録順序が大きく異なるという特徴がある。例えば実施例１の図６（ｂ）の場合で説明すれば、ブックケースの境界でブック６０７に隣接するブックは、ブックケース６０１に隣接するブックケース６０２の左上端のブックであり、ブックの記録順序としてはブック６１３に続いて記録されるブックである。【０１７９】
また以上の実施例においてはブックケース同士の大きさについては特に明確に言及していない。本発明を適用する上では、ホログラム記録媒体上に存在するブックケースが全て同一の大きさであってもよいし、異なる大きさが混在していても構わない。【０１８０】
以上の実施例ではプリキュア領域、ブックケース、ポストキュア領域の関係や、各領域におけるブックの配置方法、各領域におけるブックの記録順序、等について例を用いて説明したが、これらは上記した実施例に限定されるものではなく、この結果様々な変形例が考えられる。【０１８１】
以上の実施例では、各ブックケースをプリキュアした後すぐに該ブックケースに対するブックケース記録を行い、それをＮ回繰り返す動作とした。実施例１の図６（ａ）を例に説明すると、領域６０１をプリキュアした後すぐに領域６０１に対するブックケース記録を行い、続けて領域６０２をプリキュアした後、すぐに領域６０２に対するブックケース記録を行う動作としたが、プリキュアとブックケース記録の順序はこれ以外であっても良い。【０１８２】
例えば、以下のような動作としても良い。領域６０１をプリキュアした後に領域６０２についてもプリキュアを行い、その後に領域６０１に対するブックケース記録を行い、その後領域６０２に対するブックケース記録を行う。これは２つのブックケース６０１及び６０２をプリキュアし、６０１、６０２の順にブックケースを行うことになり、プリキュアとブックケース記録を２つのブックケースを１つの単位として行うものである。２つのブックケースごとにプリキュアとブックケース記録を行う上記の処理をＮ／２回繰り返す。この動作であっても、第一の課題乃至第三の課題は同様に解決できる。【０１８３】
なお、このことからわかるように、１回のプリキュア処理でプリキュアを行う領域と、１回のポストキュア処理でポストキュアを行う領域が異なる必要はない。例えば、実施例１において１回のプリキュア処理でプリキュアを行う領域は単一ブックケース（例えば領域６０１）であり、１回のポストキュア処理でポストキュアを行う領域はそのＮ倍の領域（領域６０４）であった。しかし上記と同様に、まず６０１、６０２、…、６０３のプリキュアを行い、続いて６０１、６０２、…、６０３の順についてブックを記録しながら敷き詰める動作を行い、その後に６０１、６０２、…、６０３の順にポストキュアしてもよい。この場合には、１回のプリキュア処理でプリキュアを行う領域は単一ブックケースでなくなり、そのＮ倍の領域である６０４の領域となるため、１回のポストキュア処理でポストキュアを行う領域と同一となる。この動作であっても、第一の課題乃至第三の課題は同様に解決できる。但し前述したように、プリキュア領域を広くしすぎた場合には問題となる可能性があるため、プリキュア領域の面積に影響する数値Ｎの選定には、この点の考慮も必要になる。【０１８４】
また、キュア光学系が単一のプリキュア領域（例えば領域６０１）に対して光ビームを照射する際の実現の形態に制限はない。例えばプリキュア領域全体に一様に光ビームが照射され、１回の光ビームを照射でプリキュア領域全体がプリキュアされる構成でも良い。または、光ビームの照射範囲がプリキュア領域より小さく、プリキュア領域を複数の領域に分割し、光ビームの照射位置を各々の領域に移動させてプリキュアを行っても良い。これはポストキュアに関しても同様である。【０１８５】
更に以上の実施例では、ブックケースとプリキュア領域が同一であるとした。しかしブックケースとプリキュア領域が同一である必要はない。即ち、以上の実施例ではプリキュア領域の内部がブックで敷き詰められるようにブック移動とブック記録を行う動作としたが、ブック移動の区切り（即ちブックケース）をプリキュアやポストキュアを行う領域と対応付けなくてもよい。【０１８６】
この場合の変形例を、図１１（ａ）を用いて説明する。図１１（ａ）の３つの領域１１０１、１１０２、１１０３は、隣接するプリキュア領域を示す。また図１１（ａ）のＡやＢで示す破線部の内部に描かれた横長の長方形は、ブックが横に一列に連なったものを示している。変形例として図１１（ａ）に示すように、３つの隣接するプリキュア領域１１０１、１１０２、１１０３に関して、単一のプリキュア領域の横幅の１．５倍の長さでブック移動の区切り（横方向のブック記録をやめて、次の行に移行する箇所）としてもよい。図１１（ａ）の場合、３つのプリキュア領域すべてをプリキュアした後に、図１１（ａ）のＡで示す部分のブック、続いて図１１（ａ）のＢで示す部分のブックの順に記録し、その後に１１０１、１１０２、１１０３の順にポストキュアを行うという動作であっても、同様の効果を得ることができる。【０１８７】
更に以上の実施例では、ブックケース記録を行った後、該ブックケース内のブックの暗反応時間が経過するまでの間に、隣接するブックケースに対するブックケース記録を行う動作とした。しかしブックケース記録を行った後、該ブックケース内のブックの暗反応時間が経過するまでの間にホログラムを記録する領域は、必ずしもブックケースの区切りである必要はない。【０１８８】
この場合の変形例を、図１１（ｂ）を用いて説明する。図１１（ｂ）の３つの領域１１０４、１１０５、１１０６は、隣接するプリキュア領域を示す。また図１１（ａ）と同様、破線部の内部に描かれた横長の長方形は、ブックが横に一列に連なったものを示している。破線部１１１１から破線部１１１４はブックの集合を示しており、破線部に付けられた符号の数値の大小は、記録の順番に対応している。変形例として図１１（ｂ）において、まず領域１１０４及び領域１１０５をプリキュアし、破線部１１１１及び破線部１１１２の領域のブックの記録を行い、その後に領域１１０４をポストキュアする。その後は、領域１１０６のプリキュアを行い、破線部１１１３及び破線部１１１４の領域のブックの記録を行い、その後に領域１１０５をポストキュアし、続いて領域１１０６をポストキュアする。【０１８９】
この場合であっても、同様の効果を得ることができる。但し、破線部１１１２の領域のブックの記録を完了した時点で、破線部１１１１内のブックの暗反応時間は経過しているものとし、更に領域１１０５に対するポストキュアが完了した時点で、領域１１０６の暗反応時間は経過しているものとする。なおブックケースのサイズが大きくすることで、破線部１１１２の領域のブックの記録時間を長くすることができるため、ブックケースの大きさの設計によってこのような形態を取ることは可能である。【０１９０】
ここで、ブックを敷き詰める際の単位をブックケースと定義しているので、図１１（ｂ）におけるブックを敷き詰める際の単位（ブックケース）は、例えば破線部１１１１が相当する。そのため、破線部１１１２と破線部１１１３を合わせた領域に含まれるブックの集合も、破線部１１１１と同一サイズの領域であり、ブックケースであると考えることが出来る。破線部１１１１のブックケースの暗反応時間を待つ間にホログラムを記録する領域は、以上の実施例では、破線部１１１２と破線部１１１３を合わせた領域内部の全てのブックであった。しかしここで説明したように、破線部１１１１のブックケースの暗反応時間を待つ間にホログラムを記録する領域は、隣接ブックケースの一部、即ち破線部１１１２で示す領域のみであっても構わない。【０１９１】
更にこの変形例からわかるように、連続してポストキュア処理を行う領域は、記録済かつポストキュア未実施の領域である全ての領域である必要はない。この変形例では、領域１１０４をポストキュアするタイミングで記録済みかつポストキュア未実施の領域は破線部１１１１及び破線部１１１２であるが、破線部１１１１のみについてポストキュアを行っている。以上の実施例においては説明を簡便にするために、記録済かつポストキュア未実施の領域についてポストキュアする構成としたが、本発明はこれに限定されるものではない。【０１９２】
以上の変形例を考慮した上で、本発明に関する最も基本的な構成は、ブックを敷き詰める単位をブックケース（例えば図１１の場合にはＡやＢが相当する）と定義した時に、第一のブックケースについてブックを記録しながら敷き詰め終わった後、第一のブックケースに対するポストキュアを行うまでの時間内に、第一のブックケースとは異なる領域にブックの記録を行うこと、となる。ここで言う第一のブックケースとは異なる領域とは、必ずしもブックケースの区切りでなくてもよい。【０１９３】
第一のブックケースとは異なる領域にブックの記録を行ううちに第一のブックケース内のブックの暗反応時間が経過していれば、続けて第一のブックケースに対するポストキュアを行うことで好適な記録を実現できる。即ち本発明の最も基本的な利点は、第一のブックケースを記録した後の暗反応時間を待つ間に、別の領域のブックを記録しておくことで、好適な記録を達成できる点にある。好適である理由の一つとしては、暗反応時間の待ち時間を発生せずに連続的にブックの記録を行うことができるためである。そのため、上述した本発明に関する最も基本的な構成は、第一のブックケースの暗反応時間を考慮の上で、その待ち時間を別の領域のブックを記録する動作に割り当てる構成、と言い換えることもできる。【０１９４】
そして前記時間内に、第一のブックケース（例えば図６（ａ）の領域６０１）とは異なるブックケース（例えば図６（ａ）の領域６０２）についてブックを記録しながら敷き詰める動作としてもよい。このとき、実施例で説明したように、前記時間内に記録する単位もブックケース単位となり、簡便で管理のしやすい実現形態となる。【０１９５】
フローチャートにおいては、実施例１の図５を例に取れば、「第一のブックケースについてブックを記録しながら敷き詰め終わる」ことは、ステップＳ５０４乃至ステップＳ５０６を実行した後、初めてステップ５０５にてＹｅｓとなる場合に相当する。また「第一のブックケースに対するポストキュアを行う」ことは、ステップＳ５１０を実行することに相当する。従って、上述した本発明に関する最も基本的な構成を実施例１に当てはめれば、初めてステップ５０５にてＹｅｓとなり第一のブックケース（図６（ａ）の領域６０１）についてブックを記録しながら敷き詰め終わった後、第一のブックケースに対するポストキュアを行うステップＳ５１０までの時間内に、第一のブックケースとは異なる領域にブックの記録を行うことである。実施例１の場合では、前記の「第一のブックケースとは異なる領域」とは、ステップＳ５０９によって移動するＮ−１個のブックケース領域（図６（ａ）の領域６０２、…、領域６０４）に相当する。またこの領域に対するブックの記録は、ステップＳ５０９を経由してステップ５０３に戻った後に再度実行されるステップＳ５０４乃至ステップＳ５０６によって実行される。【０１９６】
本明細書ではブックを敷き詰める単位をブックケースと定義し、ブックケースについてブックを記録しながら敷き詰める動作をブックケース記録と称した。ブックケースという表現を用いずにブックケース記録を説明すれば、所定領域の内部が、情報の記録されたホログラムが所定の間隔で配置された状態になるように、記録位置を変えながらホログラムの記録を行う処理と説明できる。そのため、ブックケース記録を行う処理のことを、領域記録処理と呼ぶこともできる。【０１９７】
ここで、本発明におけるブックケースのサイズに関する好ましい特徴について、説明する。ブックケース（図６における６０４）の縦の長さはブック（図６における６０５など）の縦の長さの２倍よりも大きく、かつブックケースの横の長さはブックの横の長さの２倍よりも大きいことが好ましい。言い換えれば、ブックケースのサイズは、ブックのサイズを基準として２×２のサイズ以上であることが好ましい。ブックケースのサイズが上記を満たすとき、プリキュア領域やポストキュア領域のサイズについてもブックのサイズを基準として２×２のサイズ以上となる。【０１９８】
ブックケースのサイズを上記のように構成することの効果は３点ある。１点目は、プリキュアするための光を生成するキュア光学系１３を構成しやすいことである。これは、例えばプリキュアするための光を照射する領域の縦横比が大きくなればなるほど（たとえば縦が１ブックで横が２０ブックなど）、光学系の設計が困難になるためである。また２点目は、より大きな領域を同時にプリキュア処理ができるため合計の記録時間を短縮できることである。更に３点目は、「第三の課題」として前述した課題を解決できる点である。これは、ポストキュア領域の縦及び横が長いほど、その周辺に敷き詰めるべきダミーの情報を記録したブックの総数を少なくできるためである。このように、１点目は光学系の設計しやすさ、２点目は記録時間の短縮、３点目は記録容量の改善に寄与する。ゆえに総合的に鑑みて、ブックケースのサイズは、ブックのサイズを基準として２×２のサイズ以上であることが好ましい。【０１９９】
なお特許文献２によって開示されている従来例においては、記録と同時に定着を行う構成が開示されている。しかしながら、該文献に開示されている構成では、「トラック」と称する同心円状にホログラムを記録し、そのトラックに沿ってポストキュアを行う構成となっている。即ち、「トラック」間の距離は本実施例の表現における「ブック」の横の辺の長さに相当し、該文献において一度にポストキュアされる領域の１辺は、本実施例の表現における「ブック」の縦の辺の長さに等しい。ゆえに、該文献での構成は、ポストキュア領域がブックのサイズを基準として２×２のサイズ以上となっておらず、上述したような３点の効果は得られない。【０２００】
またいずれの変形例の場合も、ブックケースより大きい領域を連続してポストキュアを行う動作が含まれる点は、本発明に共通する特徴である。例えば変形例である図１１（ｂ）では、２回目のポストキュアにおいて領域１１０５に続いて領域１１０６に対してポストキュアを行っており、連続してポストキュアを行う領域はブックケースよりも大きい。また実現の容易さを考えると、実施例で説明した形態のように、ポストキュア領域は複数のブックケースの集合とする構成が好適である。【０２０１】
また本発明に関する最も基本的な構成を考えれば、プリキュア処理は必ずしも行わなくてもよいが、プリキュア処理を行うことにより、記録品質を向上させることができる。【０２０２】
なお、本発明は上記した実施例に限定されるものではなく、また上述した変形例の他にも様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。【０２０３】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０２０４】
１…ホログラム記録媒体、２…ホログラム記録媒体、１０…ホログラム記録再生装置、１１…ピックアップ、
１２…再生用参照光光学系、１３…キュア光学系、１４…ディスク回転角度検出用光学系、
５０…媒体搬送部、５１…回転モータ、５２…半径方向搬送部、
８１…媒体搬送制御回路、８２…光源駆動回路、８３…サーボ信号生成回路、
８４…サーボ制御回路、８５…信号処理回路、８６…信号生成回路、
８７…シャッタ制御回路、８８…媒体搬送制御回路、
８９…コントローラ、９０…入出力制御回路、９１…外部制御装置、
９２…回転モータ制御回路、９３…半径方向搬送制御回路、
２０１…光源、２０３…シャッタ、２０６…信号光、２０７…参照光、
２１２…空間光変調器、２１４…空間フィルタ、
２１５…対物レンズ、２２０…アクチュエータ、
２２３…アクチュエータ、
２２４…ミラー、２２５…光検出器
【図１】
2014033895.tif 000006
【図２】
2014033895.tif 000007
【図３】
2014033895.tif 000008
【図４（ａ）】
2014033895.tif 000009
【図４（ｂ）】
2014033895.tif 000010
【図４（ｃ）】
2014033895.tif 000011
【図５】
2014033895.tif 000012
【図６（ａ）】
2014033895.tif 000013
【図６（ｂ）】
2014033895.tif 000014
【図６（ｃ）】
2014033895.tif 000015
【図７】
2014033895.tif 000016
【図８（ａ）】
2014033895.tif 000017
【図８（ｂ）】
2014033895.tif 000018
【図９】
2014033895.tif 000019
【図１０（ａ）】
2014033895.tif 000020
【図１０（ｂ）】
2014033895.tif 000021
【図１１（ａ）】
2014033895.tif 000022
【図１１（ｂ）】
2014033895.tif 000023
【図１２（ａ）】
2014033895.tif 000024
【図１２（ｂ）】
2014033895.tif 000025
【図１３】
2014033895.tif 000026
【図１４】
2014033895.tif 000027
【手続補正書】
【提出日】平成28年2月8日(2016.2.8)
【手続補正１】
【補正対象書類名】特許請求の範囲
【補正対象項目名】全文
【補正方法】変更
【補正の内容】
【特許請求の範囲】
【請求項１】
信号光と参照光をホログラム記録媒体に照射して情報の記録を行うホログラム記録装置であって、
前記信号光および前記参照光が照射される位置を変更して前記ホログラム記録媒体上の記録位置を変更する記録位置変更手段と、
前記記録位置変更手段を用いて前記記録位置を変更すると共に前記信号光と前記参照光の照射を制御することにより、前記ホログラム記録媒体上の所定領域の内部に、情報が記録されたホログラムを所定の間隔で配置する領域記録処理を行う領域記録処理手段と、
前記情報の記録が完了した領域に対して所定の光ビームを照射するポストキュア処理を行うポストキュア処理手段とを備え、
前記参照光を変更して前記ホログラム記録媒体の同一領域に多重記録した領域をブックとした場合、
前記領域記録処理手段が前記ホログラム記録媒体の前記ブックで構成される第一の所定領域に対して第一の前記領域記録処理を行った後、前記ポストキュア処理手段が前記第一の所定領域に対する前記ポストキュア処理を行うまでの時間内に、
前記ブックで構成されかつ前記第一の所定領域と異なる領域に前記信号光と前記参照光を照射して情報の記録を行い、
前記第一の所定領域と前記異なる領域の間は前記ブックの記録順序が不連続であることを特徴とするホログラム記録装置。
【請求項２】
信号光と参照光をホログラム記録媒体に照射して情報の記録を行うホログラム記録装置であって、
前記信号光および前記参照光が照射される位置を変更して前記ホログラム記録媒体上の記録位置を変更する記録位置変更手段と、
前記記録位置変更手段を用いて前記記録位置を変更すると共に前記信号光と前記参照光の照射を制御することにより、前記ホログラム記録媒体上の所定領域の内部に、情報が記録されたホログラムを所定の間隔で配置する領域記録処理を行う領域記録処理手段と、
前記情報の記録が完了した領域に対して所定の光ビームを照射するポストキュア処理を行うポストキュア処理手段とを備え、
前記参照光を変更して前記ホログラム記録媒体の同一領域に多重記録した領域をブックとした場合、
前記領域記録処理手段が前記ホログラム記録媒体の前記ブックで構成される第一の所定領域に対して第一の前記領域記録処理を行った後、前記ポストキュア処理手段が前記第一の所定領域に対する前記ポストキュア処理を行うまでの時間内に、
前記ブックで構成されかつ前記第一の所定領域と異なる領域に対する前記領域記録処理を少なくとも１回行い、
前記第一の所定領域と前記異なる領域の間は前記ブックの記録順序が不連続であることを特徴とするホログラム記録装置。
【請求項３】
請求項１または請求項２に記載のホログラム記録装置であって、
前記領域記録処理手段が前記ホログラムを所定の間隔で配置する前記所定領域は、前記ホログラムを所定の方向に２以上かつ前記所定の方向と直行する方向に２以上配置した、略四角形の形状であることを特徴とするホログラム記録装置。
【請求項４】
請求項１または請求項２に記載のホログラム記録装置であって、
前記時間内に、前記第一の所定領域と異なる領域に対する前記領域記録処理を少なくとも１回行い、
前記ポストキュア処理手段が前記第一の所定領域に対する前記ポストキュア処理に続けて、
前記時間内に前記領域記録処理を行った領域に対する前記ポストキュア処理を行うことを特徴とするホログラム記録装置。
【請求項５】
請求項１または請求項２に記載のホログラム記録装置であって、
複数の所定領域に対する前記領域記録処理を順に行った後、
前記複数の所定領域に関して、前記領域記録処理を行った順に、前記ポストキュア処理手段が前記ポストキュア処理を行うことを特徴とするホログラム記録装置。
【請求項６】
請求項２に記載のホログラム記録装置であって、
前記時間内に前記領域記録処理を行う領域は、前記第一の所定領域に隣接することを特徴とするホログラム記録装置。
【請求項７】
請求項２に記載のホログラム記録装置であって、
前記ポストキュア処理手段が前記第一の所定領域に対する前記ポストキュア処理に続けて、
前記時間内に前記領域記録処理を行った領域の少なくとも一部に対する前記ポストキュア処理を行うことを特徴とするホログラム記録装置。
【請求項８】
請求項２に記載のホログラム記録装置であって、
前記記録位置変更手段は、前記ホログラム記録媒体を回転させる回転手段と前記回転手段の回転方向と直交する半径方向に前記ホログラム記録媒体を搬送する半径方向搬送手段から構成され、
前記第一の所定領域から、前記第一の前記領域に対する記録処理の直後に前記領域記録処理を行う第二の所定領域に移動する方向は、前記第一の所定領域から前記回転手段により前記記録位置が移動可能な方向と一致することを特徴とするホログラム記録装置。
【請求項９】
請求項２に記載のホログラム記録装置であって、
前記記録位置変更手段は、少なくとも２つの駆動手段から構成され、
前記第一の所定領域から、前記第一の前記領域記録処理の直後に前記領域記録処理を行う第二の所定領域に移動する方向は、
前記領域記録処理において最も駆動する頻度の高い前記駆動手段により、前記記録位置が移動可能な方向と一致することを特徴とするホログラム記録装置。
【請求項１０】
請求項２に記載のホログラム記録装置であって、
前記ポストキュア処理手段が連続して前記ポストキュア処理を行う領域は、前記領域記録処理を行う領域よりも広いことを特徴とするホログラム記録装置。
【請求項１１】
請求項２に記載のホログラム記録装置であって、
前記ポストキュア処理手段が連続して前記ポストキュア処理を行う領域は、前記ポストキュア処理より以前に前記領域記録処理を行った領域の集合であることを特徴とするホログラム記録装置。
【請求項１２】
請求項２に記載のホログラム記録装置であって、前記ポストキュア処理手段が連続して前記ポストキュア処理を行う領域同士の間には、ダミーの情報を記録したホログラムを所定の幅、配置して記録することを特徴とするホログラム記録装置。
【請求項１３】
請求項２に記載のホログラム記録装置であって、
複数の所定領域に対する前記領域記録処理を順に行った後に、前記ポストキュア処理手段が前記複数の所定領域に対する前記ポストキュア処理を行う一連の動作を行い、
前記一連の動作を繰り返すことで前記ホログラム記録媒体に対する情報の記録を行い、
前記ポストキュア処理を行う領域同士の間にはダミーの情報を記録したホログラムを記録し、
前記一連の動作において前記領域記録処理が行われる前記複数の所定領域同士の間にはダミーの情報を記録したホログラムを記録しないことを特徴とするホログラム記録装置。
【請求項１４】
請求項２に記載のホログラム記録装置であって、
前記ポストキュア処理において照射される光ビームは、前記信号光及び前記参照光よりもコヒーレンスが低いことを特徴とするホログラム記録装置。
【請求項１５】
請求項２に記載のホログラム記録装置であって、
前記情報の記録が行われていない領域に対して所定の光ビームを照射するプリキュア処理を行うプリキュア処理手段を備え、
前記プリキュア処理において照射される光ビームを生成する光学系は、前記ポストキュア処理において照射される光ビームを生成する光学系と同一であることを特徴とするホログラム記録装置。
【請求項１６】
信号光と参照光をホログラム記録媒体に照射して情報の記録を行うホログラム記録方法であって、
前記参照光を変更して前記ホログラム記録媒体の同一領域に多重記録した領域をブックとした場合、
前記信号光と前記参照光の照射位置と照射時間を制御しながらホログラムの記録を行って、前記ホログラム記録媒体の前記ブックで構成される第一の所定領域の内部に、情報が記録されたホログラムを所定の間隔で配置するステップと、
前記ブックで構成されかつ前記第一の所定領域とは異なる領域に前記信号光と前記参照光を照射して前記情報の記録を行うステップと、
前記第一の所定領域に対して所定の光ビームを照射するポストキュア処理を行うステップと、を有し、
前記第一の所定領域と前記異なる領域の間は前記ブックの記録順序が不連続であることを特徴とするホログラム記録方法。
【請求項１７】
信号光と参照光をホログラム記録媒体に照射して情報の記録を行うホログラム記録方法であって、
前記参照光を変更して前記ホログラム記録媒体の同一領域に多重記録した領域をブックとした場合、
前記信号光と前記参照光の照射位置と照射時間を制御しながらホログラムの記録を行って、前記ホログラム記録媒体の前記ブックで構成される第一の所定領域の内部に、情報が記録されたホログラムを所定の間隔で配置するステップと、
前記ブックで構成されかつ前記第一の所定領域とは異なる領域に対する前記領域記録処理を少なくとも１回行うステップと、
前記第一の所定領域に対するポストキュア処理を行うステップと、を有し、
前記第一の所定領域と前記異なる領域の間は前記ブックの記録順序が不連続であることを特徴とするホログラム記録方法。
【請求項１８】
請求項１６または請求項１７に記載のホログラム記録方法であって、
前記信号光と前記参照光の参照位置と照射時間を制御しながらホログラムの記録を行って、前記ホログラム記録媒体の所定領域の内部に、情報が記録されたホログラムを所定の間隔で配置する動作を複数回反復するステップと、
前記複数回の反復によって情報の記録された前記複数の所定領域に関して、反復を行った順に、前記ポストキュア処理を行うステップを有するホログラム記録方法。
【請求項１９】
請求項１または請求項２に記載のホログラム記録装置であって、
前記第一の領域と、前記第一の領域に隣接する領域の間は前記ブックの記録順序が不連続であることを特徴とするホログラム記録装置。
【請求項２０】
請求項１または請求項２に記載のホログラム記録装置であって、
前記第一の領域に対する前記ポストキュア処理は、前記第一の領域に対する前記領域記録処理の完了から、暗反応時間が経過した後に行うことを特徴とするホログラム記録装置。
【国際調査報告】
2014033895.tif 000028
2014033895.tif 000029
2014033895.tif 000030
2014033895.tif 000031